(57)【要約】      （修正有）【課題】墓石の香炉の扉など、石材構造物に設けられる扉の開閉機構を提供する。【解決手段】石材構造物の扉開閉構造は、石材構造物の開口部１８を形成する石材からなる上板１２、下板１４、及び、左右の縦板１６，１６を含む枠部材であって、縦板に対して上板及び下板は前方にせり出したせり出し部１３，１５を有する枠部材と、せり出し部に係合され、水平面内で開閉可能な石材からなる扉２０，２４と、を具え、扉は、扉板の一方の側縁の上下に突出した軸部材３０を有し、軸部材は、扉板に平行な幅狭部と、扉板と直交し幅狭部よりも長い幅広部とを有し、上板と下板は、せり出し部に溝部４０が凹設されており、溝部は、側方に延び幅狭部よりも幅が広く幅広部よりも幅の狭い平行溝と、平行溝の側方外側で平行溝と連通し軸部材が回動可能な拡径溝とを有している。【選択図】図９
2017166150.tif 000002
【特許請求の範囲】
【請求項１】
石材構造物の扉開閉構造であって、
前記石材構造物の開口部を形成する石材からなる上板、下板、及び、左右の縦板を含む枠部材であって、前記縦板に対して前記上板及び前記下板は前方にせり出したせり出し部を有する枠部材と、
前記せり出し部に係合され、水平面内で開閉可能な石材からなる扉と、
を具え、
前記扉は、扉板の一方の側縁の上下に突出した軸部材を有し、前記軸部材は、前記扉板に平行な幅狭部と、前記扉板と直交し前記幅狭部よりも長い幅広部とを有しており、
前記上板と前記下板は、前記せり出し部に溝部が凹設されており、前記溝部は、側方に延び前記軸部材の前記幅狭部よりも幅が広く前記幅広部よりも幅の狭い平行溝と、前記平行溝の側方外側で前記平行溝と連通し前記軸部材が回動可能な拡径溝とを有しており、
前記扉は、前記軸部材が前記上板と前記下板の前記溝部に嵌まって前記枠部材に装着される、
ことを特徴とする石材構造物の扉開閉構造。
【請求項２】
前記溝部は、少なくとも一部が前記縦板の前方に設けられている、
請求項１に記載の石材構造物の扉開閉構造。
【請求項３】
前記扉は２枚の扉板からなる両開き扉であって、前記溝部は前記縦板の各前方に凹設されている、
請求項１又は請求項２に記載の石材構造物の扉開閉構造。
【請求項４】
前記扉は１枚の扉板からなる片開き扉であって、前記溝部は前記縦板の何れか一方の前方に凹設されている、
請求項１又は請求項２に記載の石材構造物の扉開閉構造。
【請求項５】
請求項１乃至請求項４の何れかに記載の石材構造物の扉開閉構造を有する香炉。
【請求項６】
請求項１乃至請求項４の何れかに記載の石材構造物の扉開閉構造を有する石材構造物。
【発明の詳細な説明】
【技術分野】
【０００１】
本発明は、墓石の香炉や石材製の収納箱など、石材構造物に設けられる扉の開閉機構に関するものである。
【背景技術】
【０００２】
墓石の納骨室を塞ぐ置き石に代えて扉を具えた香炉が提案されている（たとえば、特許文献１参照）。香炉は、納骨室の上方又は斜め前方に載置されており、開口部が扉によって閉止されている。納骨を行なう場合には、香炉の扉を開放し、納骨室に通じる仕切りを移動させる。また、香炉の内部には、線香台や線香、ろうそく等の葬祭用品が収納可能となっており、これらの出し入れの際にも扉の開閉が行なわれる。
【０００３】
香炉の扉は、香炉に軸部材を介して回動可能に設置されている。たとえば特許文献１では、扉は両開き扉であって、各扉の外端に垂直方向に穴を凹設すると共に、枠部材となる香炉の上下の板には扉の穴と対向する位置に穴を凹設して黄銅製のピン受け体を装着している。そして、扉の穴とピン受け体に黄銅製のピンを嵌めて、扉が回動可能となっている。
【０００４】
扉はピンによって回動自在に軸支されているだけであるから、風や振動によって開放してしまうことがある。そこで、特許文献１では別途扉止めを香炉に設置するようにしている。
【先行技術文献】
【特許文献】
【０００５】
【特許文献１】実用新案登録第３０９４６４３号公報
【発明の概要】
【発明が解決しようとする課題】
【０００６】
扉や香炉は石材であるから小径の穴を凹設する加工は、非常に難度が高い。また、墓石は長期に亘って使用されるものであるが、扉の開閉機構に金具を使用すると、異種材料である石材との接続部分で金具が傷付き、摩耗、腐食、或いは、経年劣化等することとで、耐久性が十分でない可能性がある。
【０００７】
さらに、扉の開閉範囲は、扉の回動中心となるピンによって規制され、開閉範囲を広げることは困難である。このため、扉が邪魔になって香炉の開口部から納骨や線香等の出し入れが行ない難いことがある。
【０００８】
加えて、扉はピンによって回動自在に軸支されているだけであるから、閉止状態を維持するには扉止めが別途必要となる。
【０００９】
本発明の目的は、上記課題を解決することのできる、墓石の香炉の扉など、石材構造物に設けられる扉の開閉機構を提供する。
【課題を解決するための手段】
【００１０】
本発明に係る石材構造物の扉開閉構造は、
石材構造物の扉開閉構造であって、
前記石材構造物の開口部を形成する石材からなる上板、下板、及び、左右の縦板を含む枠部材であって、前記縦板に対して前記上板及び前記下板は前方にせり出したせり出し部を有する枠部材と、
前記せり出し部に係合され、水平面内で開閉可能な石材からなる扉と、
を具え、
前記扉は、扉板の一方の側縁の上下に突出した軸部材を有し、前記軸部材は、前記扉板に平行な幅狭部と、前記扉板と直交し前記幅狭部よりも長い幅広部とを有しており、
前記上板と前記下板は、前記せり出し部に溝部が凹設されており、前記溝部は、側方に延び前記軸部材の前記幅狭部よりも幅が広く前記幅広部よりも幅の狭い平行溝と、前記平行溝の側方外側で前記平行溝と連通し前記軸部材が回動可能な拡径溝とを有しており、
前記扉は、前記軸部材が前記上板と前記下板の前記溝部に嵌まって前記枠部材に装着される。
【００１１】
前記溝部は、少なくとも一部が前記縦板の前方に設けることができる。
【００１２】
前記扉は２枚の扉板からなる両開き扉であって、前記溝部は前記縦板の各前方に凹設されている構成とすることができる。
【００１３】
前記扉は１枚の扉板からなる片開き扉であって、前記溝部は前記縦板の何れか一方の前方に凹設されている構成とすることができる。
【００１４】
また、本発明の香炉は、上記記載の扉開閉構造を有する。
【００１５】
さらに、本発明の石材構造物は、上記構成の扉開閉構造を有する。
【発明の効果】
【００１６】
本発明の石材構造物の扉開閉構造は、閉止状態から扉を側方にスライドさせて軸部材を溝部の拡径溝に侵入させ、扉を前方に回動させることで扉を開くことができる。また、閉止の際には、扉を後方に回動させた後、上記とは逆方向にスライドさせることで軸部材が平行溝に侵入し、扉が開口部を塞ぐ。
【００１７】
本発明の石材構造物の扉開閉構造は、軸部材が平行溝に嵌まっている状態で軸部材は平行溝内で回動不能であり、扉の回動は阻止されるから扉止め等の施錠手段は不要とすることができる。
【００１８】
一方、扉を側方に移動させて軸部材が拡径溝に侵入すると、軸部材は拡径溝内で回動可能であるから、扉を水平面内で回動できる。
【００１９】
すなわち、本発明の石材構造物の扉開閉構造によれば、閉止状態から扉を側方にスライドさせて前方に引っ張るだけで扉を開放でき、開放状態から扉を閉止方向に回動させて、側方にスライドさせることで扉を回動不能に閉止できる。
【００２０】
本発明の石材構造物の扉開閉構造は、上板と下板に凹設される溝部は、先行技術のような小径の穴よりも大きいから、その加工難度の低く、加工が容易である。また、扉は、１枚の石材から扉板と軸部材を一体に加工することで強度を確保できると共に部品点数を削減できる利点がある。
【００２１】
また、本発明の石材構造物の扉開閉構造は、異種材料である金具を用いることなく構成できるから腐食はなく、また、同種材料で作製されるため、軸部材や溝部の傷付き、摩耗、経年劣化等を抑えることができる。
【００２２】
さらに、溝部を縦板の側方外側に設けることで、扉の回動中心を開口部から離すことができるから、扉の開閉範囲を開口部から遠ざけることができ、開放状態において開口部の一部が扉によって塞がれてしまうこともない。このため、開口部を通じて石材構造物内に納骨や線香等の出し入れを容易に行なうことができる。
【００２３】
本発明の石材構造物の扉開閉構造は、香炉や石材製の収納箱などの石材構造物への適用が好適である。
【図面の簡単な説明】
【００２４】
【図１】図１は、墓石の一例を示す正面図である。
【図２】図２は、墓石の右側面図である。
【図３】図３は、本発明の一実施形態を示す香炉の扉閉止状態を示す斜視図である。
【図４】図４は、香炉の正面図である。
【図５】図５は、香炉の右側面図である。
【図６】図６は、図４の線ＶＩ−ＶＩに沿う断面図である。
【図７】図７は、軸部材と溝部の拡大図である。
【図８】図８は、スライド途上にある扉の軸部材と溝部を示す断面図である。
【図９】図９は、扉をスライドさせて、軸部材が完全に拡径溝に侵入した状態の香炉の斜視図である。
【図１０】図１０は、扉をスライドさせて、扉の軸部材が完全に拡径溝に侵入した状態を示す断面図である。
【図１１】図１１は、開放途上にある扉の軸部材と溝部を示す断面図である。
【図１２】図１２は、扉を開放した状態の香炉の斜視図である。
【図１３】図１３は、扉を開放した状態の軸部材と溝部を示す断面図である。
【図１４】図１４は、本発明の扉開閉構造を片開き扉の香炉に適用した墓石の斜視図である。
【発明を実施するための形態】
【００２５】
以下、本発明の石材構造物１０の扉開閉構造を墓石８０の香炉１１に適用した実施形態について、図面を参照しながら説明を行なう。
【００２６】
図１及び図２は、墓石８０の一例を説明する図である。もちろん墓石８０の構成は図示のものに限定されるものではなく、また、図示では墓石８０の要部のみを示している。図示の墓石８０は、竿石８１、上台８２及び下台８３の三段角柱墓である。下台８３には、拝石８４上に香炉１１が配置されている。また、香炉１１の左右には花立て８５，８５、香炉１１の上には湯呑８６、また、上台８２の前方には水鉢８７が配置されている。
【００２７】
下台８３には前方から底面に向けて骨穴８９が形成されており、骨穴８９は、土中に設けられた納骨室（図示せず）に通じている。骨穴８９の前方は香炉１１に繋がっており、後述するように香炉１１の扉２０，２４を開いて、香炉１１内に設けられた仕切り１９（図１２参照）を引き出すことで、香炉１１から納骨室にお骨を納めることができる。
【００２８】
図３乃至図５は、香炉１１の斜視図である。図に示すように、香炉１１は、石材製の上板１２と下板１４の間に左右の縦板１６，１６を配置して構成される枠部材の開口部１８を扉２０，２４によって開放、閉止可能となっている。図示の実施形態では、上板１２、下板１４、縦板１６，１６は夫々別部材で構成し、これら板材を接合することで香炉１１を構成しているが、上板１２と縦板１６，１６を一体に構成したり（図１４参照）、下板１４と縦板１６，１６を一体に構成してもよい。本実施形態では、上板１２は、図１に示すように湯呑８６を置くことのできる供物台を兼ねている。
【００２９】
扉２０，２４は、図３乃至図５に示すように、開口部１８を閉止する石材製の扉板２１，２５と扉板２１，２５の外側縁から上下に突出した軸部材３０,３０を有している。扉２０，２４は、石材を加工することで扉板２１，２５と軸部材３０,３０を一体に形成することが強度上及び部品点数の削減の点から望ましいが、扉板２１，２５に軸部材３０，３０を後付けすることも可能である。
【００３０】
扉板２１，２５は、内縁側となる召し合わせ部２２，２６を当接又は近接させた状態で開口部１８を閉止できる幅及び高さを有している。扉板２１，２５の厚さＤ（図７参照）は、扉板２１，２５として機能しうる強度を少なくとも具備する厚さ以上とする。扉板２１，２５の外縁側は円弧状にテーパー加工を施している。また、図示の実施形態では扉板２１，２５には内縁側の近傍に摘み部２７，２７を設け、また、一方の扉板２１に定規縁２３を設けている。
【００３１】
軸部材３０は、図３乃至図５に示すように、扉板２１，２５の外縁側から上下に突出している。軸部材３０は、図６及び図７に示すように、扉板２１，２５に平行に幅Ｗ（図７参照）を有する幅狭部３１と、扉板２１，２５に直交し幅狭部３１の幅Ｗよりも長い長さＬ（すなわちＬ＞Ｗ：図７参照）の幅広部３２を有する概略断面小判形の形状を例示できる。図示では幅広部３２の両端は円弧状にテーパー加工を施しており、外縁側は扉板２１，２５のテーパー形状と連続するようにしている。そして、幅広部３２の長さＬは、扉板２１，２５の厚さＤと略一致するよう形成している。
【００３２】
上記扉２０，２４は、軸部材３０が香炉１１の上板１２と下板１４に形成された溝部４０，４０に嵌まってスライド及び回動可能となっている。
【００３３】
具体的には、上板１２及び下板１４には、図３等に示すように、縦板１６，１６に対して前方にせり出したせり出し部１３，１５を有し、これらせり出し部１３，１５には、図３乃至図６に示すように縦板１６，１６の前方となる位置に溝部４０，４０が夫々凹設されている。なお、図６は、図３の線ＶＩ−ＶＩに沿う断面図であり、下板１４側を示している。
【００３４】
溝部４０は、図６に示すように、夫々左右外側に拡径溝４２、内側に平行溝４１を連通して凹設した形状である。平行溝４１の幅Ｗ’（図７参照）は、軸部材３０の幅狭部３１の幅Ｗよりも僅かに広く形成されており、拡径溝４２は、平行溝４１の幅よりも幅及び長さ（円形の場合直径Ｌ’：図７参照）が長く形成されると共に、軸部材３０の長さＬよりも僅かに長い幅及び長さを有する。図示の実施形態では拡径溝４２は軸部材３０のテーパー形状に合わせて、軸部材３０が滑らかに且つぐらつくことなく回動できるように略円形形状の内面としている。なお、拡径溝４２は、軸部材３０が回動可能であれば矩形等の多角形形状であっても構わない。
【００３５】
また、平行溝４１，４１の内側端は、図６に示すように扉２０，２４の召し合わせ部２２，２６を当接させることが可能な位置まで延びている。
【００３６】
上記構成の軸部材３０を有する扉２０，２４は、上板１２を外した状態で下板１４の溝部４０に夫々軸部材３０を嵌め、上板１２の溝部４０が軸部材３０に嵌まるように上板１２を縦板１６，１６に装着することで、香炉１１の開口部１８に取り付けられる。そして、以下の要領で閉止、開放を行なうことができる。
【００３７】
＜扉閉止状態＞
図３、図４及び図６は、扉２０，２４の閉止状態を示している。このとき、図６に示すように、軸部材３０は、幅狭部３１が平行溝４１と略平行になるようにして平行溝４１に嵌まっている。従って、扉２０，２４を外側へスライドすることは許容されるが、扉２０，２４を回動させることは阻止されている。このため、図３、図４及び図６に示すように、扉２０，２４の召し合わせ部２２，２６が当接又は近接した状態では扉２０，２４は、摘み部２７，２７を引っ張っても回動することはない。故に、扉２０，２４には扉止めは不要である。
【００３８】
＜扉スライド＞
上記状態から、摘み部２７，２７を摘んで、図３等に矢印Ａで示す外側方向に扉２０，２４をスライドさせる。これにより、軸部材３０は平行溝４１に沿って外側に移動する。図８は、扉２０，２４がスライド途上にある状態を示している。扉２０，２４は、図９及び図１０に示すように、軸部材３０が溝部４０の拡径溝４２に位置するまでスライドさせる。
【００３９】
＜扉開放＞
そして、図９及び図１０の位置まで扉２０，２４をスライドさせると、続いて、摘み部２７，２７を摘んで扉２０，２４を図９及び図１０中矢印Ｂで示すように前方へ引きつつ回動させる。軸部材３０は、拡径溝４２に位置しているから、その回動が許容され、扉２０，２４が開放して、開口部１８が現れる。扉２０，２４の開放状態の斜視図を図１１、扉２０，２４がほぼ垂直まで開放された状態を図１２及び図１３に示す。扉２０，２４は、外側方向にスライドさせた後回動させているから、扉２０，２４の開閉範囲を広くすることができ、開口部１８を通じて香炉１１に納骨や線香立て８８（図１参照）等の出し入れを容易に行なうことができる。また、仕切り１９の取外しや取付けも容易に行なうことができる。
【００４０】
＜扉閉止＞
図１２及び図１３に示す開放状態から扉２０，２４を閉止するには、まず図１２及び図１３中矢印Ｃに示すように扉２０，２４を開口部１８側に押す。これにより、軸部材３０は、図１１の状態を経て、図９及び図１０に示すように幅狭部３１が平行溝４１に整列する。そして、この状態から両扉２０，２４の召し合わせ部２２，２６が当接又は近接するまで扉２０，２４を内側にスライドさせればよい（図３、図４及び図６中矢印Ａとは逆向きにスライドさせる）。これにより、軸部材３０は、幅狭部３１が平行溝４１に沿って侵入し、図３、図４及び図６に示すように扉２０，２４が回動不能な状態で閉止する。
【００４１】
また、図７等に示すように、軸部材３０は扉板２１，２５の外縁端に形成し、扉板２１，２５及び軸部材３０の幅広部３２を円形のテーパー形状としている。そして、拡径溝４２は、その外周が縦板１６，１６の先端と近接するように円形に形成している。これにより、扉２０，２４を回動させる際に扉２０，２４の外縁が縦板１６，１６にぶつからないので、扉２０，２４の回動をスムーズに行なうことができる。
【００４２】
平行溝４１は、その幅中心が扉の厚さＤの略半分となるように形成することが望ましい。これにより、扉２０，２４を閉止した状態で、扉２０，２４と縦板１６，１６との隙間を小さくすることができ、隙間からの水や埃等の侵入を可及的に低減できる。
【００４３】
また、下側の軸部材３０は、下板１４の溝部４０の深さよりも若干長く構成することで、軸部材３０の先端が溝部４０の底面に当たる結果、扉２０，２４と下板１４の接触を抑えることができ、扉２０，２４のスムーズなスライドや回動を行なうことができる。軸部材３０の先端をテーパー形状とすることで、扉２０，２４のスライドや回動をさらにスムーズにすることができる。
【００４４】
上記説明は、本発明を説明するためのものであって、特許請求の範囲に記載の発明を限定し、或いは範囲を限縮するように解すべきではない。また、本発明の各部構成は、上記実施形態に限らず、特許請求の範囲に記載の技術的範囲内で種々の変形が可能であることは勿論である。
【００４５】
たとえば、上記実施形態では２枚の扉２０，２４を具える両開き扉に本発明の扉開閉構造を適用しているが、本発明の扉開閉構造は、図１４に示すように、１枚の扉からなる片開き扉であっても構わない。図中、上記説明と同じ引用符号は同じ部材を意味している。なお、本実施形態の香炉１１は、上板１２と縦板１６，１６を一体に形成したものである。
【００４６】
本発明の扉開閉構造は、異種材料である金具を用いることなく構成できるから腐食はなく、また、軸部材３０や溝部４０の傷付き、摩耗、経年劣化等を抑えることができる。従って、長期に亘って使用される香炉１１などの石材構造物１０への適用が特に好適である。もちろん、香炉１１に限らず、石材製の収納箱等の扉開閉構造にも好適に採用することができる。
【符号の説明】
【００４７】
１０  石材構造物
１１  香炉
１２  上板
１４  下板
１６  縦板
２０  扉
２４  扉
３０  軸部材
３１  幅狭部
３２  幅広部
４０  溝部
４１  平行溝
４２  拡径溝
８０  墓石
【図１】
2017166150.tif 000003
【図２】
2017166150.tif 000004
【図３】
2017166150.tif 000005
【図４】
2017166150.tif 000006
【図５】
2017166150.tif 000007
【図６】
2017166150.tif 000008
【図７】
2017166150.tif 000009
【図８】
2017166150.tif 000010
【図９】
2017166150.tif 000011
【図１０】
2017166150.tif 000012
【図１１】
2017166150.tif 000013
【図１２】
2017166150.tif 000014
【図１３】
2017166150.tif 000015
【図１４】
2017166150.tif 000016